(57)【特許請求の範囲】
【請求項１】
樹脂からなる試料上面に赤外光を照射する第一赤外光源部と、前記試料上面で反射した赤外光の第一光強度情報を検出する第一赤外光検出部とを備える第一赤外分光光度計と、
前記試料下面に赤外光を照射する第二赤外光源部と、前記試料下面で反射した赤外光の第二光強度情報を検出する第二赤外光検出部とを備える第二赤外分光光度計とを備え、
前記第一赤外分光光度計の第一赤外光検出部と前記第二赤外分光光度計の第二赤外光検出部とは前記試料を挟んで配置され、
前記第一光強度情報及び前記第二光強度情報に基づいて、前記試料の組成の均一性を評価する制御部とを備えることを特徴とする樹脂種識別装置。
【請求項２】
前記第一赤外光源部は、集光鏡を有し、当該集光鏡から前記試料上面の第一測定点に赤外光を照射し、
前記第一赤外光検出部は、集光鏡を有し、前記試料上面の第一測定点で反射した赤外光を検出器へ集光することで第一反射光強度を得るとともに、
前記第二赤外光源部は、集光鏡を有し、当該集光鏡から前記試料下面の第二測定点に赤外光を照射し、
前記第二赤外光検出部は、集光鏡を有し、前記試料下面の第二測定点で反射した赤外光を検出器へ集光することで第二反射光強度を得ることを特徴とする請求項１に記載の樹脂種識別装置。
【請求項３】
所定の方向に移動可能な試料載置板を備え、
前記試料載置板が移動することで、赤外光が照射される所定の位置に前記試料が配置されることを特徴とする請求項１又は請求項２に記載の樹脂種識別装置。
【請求項４】
前記試料が所定の位置に配置される前に、前記試料の上面及び／又は下面を整形する整形部を備えることを特徴とする請求項３に記載の樹脂種識別装置。
【請求項５】
前記試料の上面及び／又は下面が整形された後、前記試料は、上下方向に所定間隔となる壁面が設けられた通路を通過し、
前記通路中に所定の位置が設定されていることを特徴とする請求項４に記載の樹脂種識別装置。
【発明の詳細な説明】
【技術分野】
【０００１】
本発明は、リサイクル樹脂を光学的手法により組成ごとに識別する樹脂種識別装置に関し、特に識別部に赤外分光光度計（以下「ＦＴＩＲ」と略す）を用いた樹脂種識別装置に関する。
【背景技術】
【０００２】
廃家電における樹脂のリサイクルに際し、手で解体できる部分は限られている。このため、小さな部品や複雑な構成の部品については、機械的に粉砕して、金属や樹脂等を選別したうえで、リサイクル材とする必要がある。この場合、粉砕して混合された状態から、それぞれの材料を選別することが要求されるため、高度な選別技術が必要となる。このうち、金属は、比重や電気又は磁気的な力により選別される。一方、樹脂類の選別（例えば、ポリプロピレン（ＰＰ）とポリスチレン（ＰＳ）とアクリロニトリルブタジエンスチレン（ＡＢＳ）等）については、近赤外帯又は中赤外帯の光における樹脂の吸収率や反射率の波長（波数）依存性の違いに着目した識別方法が提案されている。
【０００３】
このような識別方法として、順次コンベアで樹脂片（シュレッダーダスト）を搬送し、フーリエ変換型赤外分光光度計を用いて拡散反射法で識別するもの（赤外分光法）がある（例えば、特許文献１参照）。
【０００４】
図５は、従来の樹脂種識別装置の構成を示す平面図であり、図６は、図５に示す樹脂種識別装置の側面図である。なお、地面に水平な一方向をＸ方向とし、地面に水平でＸ方向と垂直な方向をＹ方向とし、Ｘ方向とＹ方向とに垂直な方向をＺ方向とする。
樹脂種識別装置１００は、赤外光を出射する赤外光源部１０と、赤外光検出部２０と、試料となる樹脂片Ｓが配置される試料配置部１３０と、制御部１５０とを備える。
【０００５】
赤外光源部１０は、赤外光を出射する赤外光源１２と、インターフェログラムを作成する主干渉計主要部４０と、平面鏡１３、１４と、放物面鏡（集光鏡）１１とを備える。そして、赤外光源１２から出射された赤外光は、主干渉計主要部４０のビームスプリッタ４２に照射されるようになっている。
【０００６】
主干渉計主要部４０には、移動鏡４１ａを備えた移動鏡ユニット４１と、ビームスプリッタ４２と、固定鏡４３ａを備えた固定鏡ユニット４３とが配置されている。このような主干渉計主要部４０によれば、赤外光源１２から出射された赤外光は、ビームスプリッタ４２に照射され、ビームスプリッタ４２で移動鏡４１ａと固定鏡４３ａとの二方向に分割される。そして、移動鏡４１ａで反射された赤外光と固定鏡４３ａで反射された赤外光はビームスプリッタ４２へ戻り、これらの赤外光はビームスプリッタ４２で合成されて平面鏡１３、１４を介して放物面鏡１１へ送られる。このとき、移動鏡４１ａは入射光軸方向Ｍで前後に往復動しているため、分割された二光束の光路長の差は周期的に変化し、ビームスプリッタ４２から放物面鏡１１へ向かう光は、時間的に振幅が変動するインターフェログラムとなる。
【０００７】
赤外光検出部２０は、インターフェログラム（赤外光）を検出する赤外検出器２１と、２つの放物面鏡（集光鏡）２２、２３とを備える。
【０００８】
試料配置部１３０は、図６に示すように樹脂種識別装置１００の下段に配置されており、搬送ベルト（試料載置板）１３１と、搬送ベルト１３１を所定の方向（Ｙ方向）に移動させる駆動機構（図示略）とを備える。樹脂片Ｓは、搬送ベルト１３１の上面に載置されることになる。
そして、搬送ベルト１３１の左上方には、右下方に光を反射するための放物面鏡１１が設けられるとともに、搬送ベルト１３１の右上方には、左下方からの光を反射するための放物面鏡２２が設けられている。これにより、例えば樹脂片Ｓ２が所定の位置に配置されると、放物面鏡１１によって集光された光が、樹脂片Ｓ２上面の第一測定点Ｃ１に照射され、樹脂片Ｓ２上面の第一測定点Ｃ１で反射した光が、放物面鏡２２によって平行光とされ、その平行光が放物面鏡２３によって赤外検出器２１へ集光されるようになっている。
【０００９】
このような試料配置部１３０によれば、搬送ベルト１３１に複数個の樹脂片Ｓ（第一樹脂片Ｓ１、第二樹脂片Ｓ２、第三樹脂片Ｓ３、・・・）を載置した後、駆動機構によって搬送ベルト１３１を所定の方向に移動させることにより、所定の位置に第一樹脂片Ｓ１が配置され、その後、所定の位置に第二樹脂片Ｓ２が配置されるというように、順次所定の位置に樹脂片Ｓが１個ずつ配置される。
【００１０】
制御部１５０は、赤外検出器２１から反射光強度（光強度情報）を取得する光強度情報取得部と、取得した光強度情報に基づいて各樹脂片Ｓの吸収スペクトルを作成する試料測定部と、得られた吸収スペクトルを用いてそれぞれの樹脂の種類を判別する樹脂種判別部とを有する。
【先行技術文献】
【特許文献】
【００１１】
【特許文献１】国際公開ＷＯ２０１２／１４７７１７号公報
【発明の概要】
【発明が解決しようとする課題】
【００１２】
しかしながら、樹脂種識別装置１００で樹脂片Ｓｎを樹脂種ごとに選別することになるが、廃家電における樹脂のリサイクル工場では、正確に樹脂片Ｓｎを樹脂種ごとに選別することができないことがあった。
【課題を解決するための手段】
【００１３】
本件発明者は、上記課題を解決するために、樹脂片（試料）を樹脂種ごとに正確に選別することができる樹脂種識別装置について鋭意検討を行った。
リサイクル工場等で家電等の成形品を粉砕した樹脂片（シュレッダーダスト）Ｓｎを樹脂種識別装置１００で選別する際には、樹脂片Ｓｎを５ｍｍ〜２０ｍｍ程度に粉砕しているが、家電等には樹脂表面に塗装が施されたものや、フィルム等が貼り合わされたものが多い。そのため、樹脂片Ｓｎ上面で反射した光を赤外検出器２１で検出すると、塗装やフィルム等に含まれる材料の吸収スペクトルが得られることや、樹脂片Ｓｎのどちらの面を測定するかによって測定結果が異なることがわかった。
そこで、本件発明者は、樹脂片Ｓｎの上面と下面の両方を測定することにした。これにより、樹脂片Ｓｎ上面の測定結果と樹脂片Ｓｎ下面の測定結果とが異なれば、表面に塗装が施されているか、フィルム等が貼り合わされたものであると判定することを見出した。
【００１４】
すなわち、本発明の樹脂種識別装置は、樹脂からなる試料上面に赤外光を照射する第一赤外光源部と、前記試料上面で反射した赤外光の第一光強度情報を検出する第一赤外光検出部とを備える第一赤外分光光度計と、前記試料下面に赤外光を照射する第二赤外光源部と、前記試料下面で反射した赤外光の第二光強度情報を検出する第二赤外光検出部とを備える第二赤外分光光度計とを備え、前記第一赤外分光光度計の第一赤外光検出部と前記第二赤外分光光度計の第二赤外光検出部とは前記試料を挟んで配置され、前記第一光強度情報及び前記第二光強度情報に基づいて、前記試料の組成の均一性を評価する制御部とを備えるようにしている。
【発明の効果】
【００１５】
本発明の樹脂種識別装置によれば、試料の上面と下面の両面を測定しているので、試料を正確に選別することができる。
【００１６】
（その他の課題を解決するための手段および効果）
また、上記発明において、前記第一赤外光源部は、集光鏡を有し、当該集光鏡から前記試料上面の第一測定点に赤外光を照射し、前記第一赤外光検出部は、集光鏡を有し、前記試料上面の第一測定点で反射した赤外光を検出器へ集光することで第一反射光強度を得るとともに、前記第二赤外光源部は、集光鏡を有し、当該集光鏡から前記試料下面の第二測定点に赤外光を照射し、前記第二赤外光検出部は、集光鏡を有し、前記試料下面の第二測定点で反射した赤外光を検出器へ集光することで第二反射光強度を得るようにしてもよい。
【００１７】
また、上記発明において、所定の方向に移動可能な試料載置板を備え、前記試料載置板が移動することで、赤外光が照射される所定の位置に前記試料が配置されるようにしてもよい。
ここで、「所定の位置」とは、赤外光源部から赤外光が照射され、その反射した赤外光が赤外光検出部に送られる位置であって、設計者等によって予め決められており、「所定の方向」もまた、設計者等によって予め決められている。
【００１８】
そして、上記発明において、前記試料が所定の位置に配置される前に、前記試料の上面及び／又は下面を整形する整形部を備えるようにしてもよい。
さらに、上記発明において、前記試料の上面及び／又は下面が整形された後、前記試料は、上下方向に所定間隔となる壁面が設けられた通路を通過し、前記通路中に所定の位置が設定されているようにしてもよい。
このような本発明の樹脂種識別装置によれば、試料の形状や寸法によらず正確な測定を行うことができる。
【図面の簡単な説明】
【００１９】
【図１】本発明の第一実施形態に係る樹脂種識別装置の構成を示す平面図。
【図２】図１の側面図。
【図３】図１の装置を裏面から見たときの構成を示す平面図。
【図４】本発明の第二実施形態に係る樹脂種識別装置の構成を示す側面図。
【図５】従来の樹脂種識別装置の構成を示す平面図。
【図６】図５の側面図。
【発明を実施するための形態】
【００２０】
以下、本発明の実施形態について図面を用いて説明する。なお、本発明は、以下に説明するような実施形態に限定されるものではなく、本発明の趣旨を逸脱しない範囲で種々の態様が含まれる。
【００２１】
＜第一実施形態＞
図１は、本発明の第一実施形態に係る樹脂種識別装置の構成を示す平面図であり、図２は、図１に示す樹脂種識別装置の側面図であり、図３は、図１の樹脂種識別装置を裏面から見たときの構成を示す平面図である。なお、先に述べた樹脂種識別装置１００と同様のものについては、同じ符号を付すことにより説明を省略する。
樹脂種識別装置１は、赤外光を出射する第一赤外光源部１０と、第一赤外光検出部２０と、赤外光を出射する第二赤外光源部１１０と、第二赤外光検出部１２０と、試料となる樹脂片Ｓｎが配置される試料配置部３０と、制御部５０とを備える。
【００２２】
なお、本実施形態における樹脂片Ｓｎは、例えばリサイクル工場等で廃家電を５ｍｍ〜２０ｍｍ程度に粉砕したもの（シュレッダーダスト）である。そして、本発明は、樹脂片Ｓｎを新たな製品用材料として再利用するために、樹脂片Ｓｎを樹脂種ごと（例えば、ポリプロピレン（ＰＰ）とポリスチレン（ＰＳ）とアクリロニトリルブタジエンスチレン（ＡＢＳ）等）に識別するとともに、混合物（リサイクル不可品）を識別する際に使用される。
【００２３】
第二赤外光源部１１０は、赤外光を出射する赤外光源１１２と、インターフェログラムを作成する主干渉計主要部１４０と、平面鏡１１３、１１４と、放物面鏡（集光鏡）１１１とを備える。そして、赤外光源１１２から出射された赤外光は、主干渉計主要部１４０のビームスプリッタ１４２に照射されるようになっている。
第二赤外光検出部１２０は、インターフェログラム（赤外光）を検出する赤外検出器１２１と、２つの放物面鏡（集光鏡）１２２、１２３とを備える。
【００２４】
試料配置部３０は、樹脂種識別装置１の中段に配置されており、下側搬送ベルト（試料載置板）３３、３４と、下側搬送ベルト３３、３４の上方（Ｚ方向）に配置された上側搬送ベルト３１、３２と、上下の搬送ベルト３１〜３４を所定の方向（Ｙ方向）に移動させる駆動機構（図示略）と、試料移送板３５と、ゴムローラ部（整形部）６０とを備える。
【００２５】
上側搬送ベルト３１、３２は、Ｘ方向に所定の間隔Δｘの空隙（開口）Ｐ１をあけて平行に配置されており、下側搬送ベルト３３、３４は、Ｘ方向に所定の間隔Δｘの空隙（開口）Ｐ２をあけて平行に配置されている。
上記「所定の間隔Δｘ」は、設計者等によって予め決められており、例えば３ｍｍ等となる。
【００２６】
樹脂片Ｓｎは、図１に示すように、上側搬送ベルト３１の下面に左部分（一部分）が押圧されるとともに、上側搬送ベルト３２の上面に右部分（一部分）が押圧されることになる。これにより、上側搬送ベルト３１、３２の空隙Ｐ１に、樹脂片Ｓｎ上面の中央部分（第一測定点）Ｃ１が配置される。また、樹脂片Ｓｎは、図３に示すように、下側搬送ベルト３３の上面に左部分（一部分）が載置されるとともに、下側搬送ベルト３４の上面に右部分（一部分）が載置されることになる。これにより、下側搬送ベルト３３、３４の空隙Ｐ２に、樹脂片Ｓｎ下面の中央部分（第二測定点）Ｃ２が配置される。
【００２７】
そして、赤外光が照射される所定の位置では、図２に示すように、上側搬送ベルト３１、３２と下側搬送ベルト３３、３４との間が所定の間隔Δｚ１の通路となるように、円柱形状の上側第一回転ローラ６３及び上側第二回転ローラ６４と、円柱形状の下側第一回転ローラ６５及び下側第二回転ローラ６６とが配置されている。具体的には、上側第一回転ローラ６３と下側第一回転ローラ６５との間は、所定の間隔Δｚ１となり、所定の位置の前方（−Ｙ方向）に配置されている。また、上側第二回転ローラ６４と下側第二回転ローラ６６との間も所定の間隔Δｚ１となり、所定の位置の後方（Ｙ方向）に配置されている。
上記「所定の間隔Δｚ１」は、設計者等によって予め決められており、例えば５ｍｍ等となる。
【００２８】
また、ゴムローラ部６０は、円柱形状の上側ゴムローラ６１と円柱形状の下側ゴムローラ６２とからなる。上側ゴムローラ６１と下側ゴムローラ６２との間は、所定の間隔Δｚ２となり、上下の搬送ベルト３１〜３４の前方（−Ｙ方向）に配置されている。
上記「所定の間隔Δｚ２」は、設計者等によって予め決められており、例えば５ｍｍ等となる。
【００２９】
このような試料配置部３０によれば、樹脂片Ｓｎは上側ゴムローラ６１の下面と下側ゴムローラ６２の上面との間隔Δｚ２を通過する際に押圧され、押圧された樹脂片Ｓｎが上側搬送ベルト３１、３２下面と下側搬送ベルト３３、３４上面との間に移動する。そして、上下の搬送ベルト３１〜３４が所定の方向に移動していくことにより、樹脂片Ｓｎが所定の位置に移動する。このように樹脂片Ｓｎが上側ゴムローラ６１下面と下側ゴムローラ６２上面との間の所定の間隔Δｚ２を通過していくことで、順次所定の位置に樹脂片Ｓｎが１個ずつ配置される。
【００３０】
そして、上側搬送ベルト３１、３２の左上方には、右下方に光を反射するための放物面鏡１１が設けられるとともに、上側搬送ベルト３１、３２の右上方には、左下方からの光を反射するための放物面鏡２２が設けられている。これにより、樹脂片Ｓｎが所定の位置に配置されると、図１に示すように、放物面鏡１１によって集光された光が、上側搬送ベルト３１と上側搬送ベルト３２との間の空隙Ｐ１を通過して樹脂片Ｓ上面の第一測定点Ｃ１に照射され、樹脂片Ｓ上面の第一測定点Ｃ１で反射した光が、再度上側搬送ベルト３１と上側搬送ベルト３２との間の空隙Ｐ１を通過して放物面鏡２２によって平行光とされ、その平行光が放物面鏡２３によって赤外検出器２１へ集光されるようになっている。
なお、樹脂片Ｓｎが所定の位置に存在しないときには、放物面鏡１１によって集光された光が、上側搬送ベルト３１と上側搬送ベルト３２との間の空隙Ｐ１を通過し、さらに下側搬送ベルト３３と下側搬送ベルト３４との間の空隙Ｐ２を通過して直進し続けるため、赤外検出器２１や赤外検出器１２１には到達しない。
【００３１】
また、下側搬送ベルト３３、３４の右下方には、左上方に光を反射するための放物面鏡１１１が設けられるとともに、下側搬送ベルト３３、３４の左下方には、右上方からの光を反射するための放物面鏡１２２が設けられている。これにより、樹脂片Ｓｎが所定の位置に配置されると、図３に示すように、放物面鏡１１１によって集光された光が、下側搬送ベルト３３と下側搬送ベルト３４との間の空隙Ｐ２を通過して樹脂片Ｓｎ下面の第二測定点Ｃ２に照射され、樹脂片Ｓｎ下面の第二測定点Ｃ２で反射した光が、再度下側搬送ベルト３３と下側搬送ベルト３４との間の空隙Ｐ２を通過して放物面鏡１２２によって平行光とされ、その平行光が放物面鏡１２３によって赤外検出器１２１へ集光されるようになっている。
なお、樹脂片Ｓｎが所定の位置に存在しないときには、放物面鏡１１１によって集光された光が、下側搬送ベルト３３と下側搬送ベルト３４との間の空隙Ｐ２を通過し、さらに上側搬送ベルト３１と上側搬送ベルト３２との間の空隙Ｐ１を通過して直進し続けるため、赤外検出器２１や赤外検出器１２１には到達しない。
【００３２】
制御部５０は、赤外光源１２から連続的に赤外光を出射させて赤外検出器２１より第一反射光強度（第一光強度情報）を取得する第一光強度情報取得部と、赤外光源１１２から連続的に赤外光を出射させて赤外検出器１２１より第二反射光強度（第二光強度情報）を取得する第二光強度情報取得部と、第一反射光強度に基づいて各樹脂片Ｓｎの吸収スペクトルを作成する第一試料測定部と、第二反射光強度に基づいて各樹脂片Ｓｎの吸収スペクトルを作成する第二試料測定部と、第一試料測定部で作成された各吸収スペクトルを用いてそれぞれの樹脂の種類を判別する第一樹脂種判別部と、第二試料測定部で作成された各吸収スペクトルを用いてそれぞれの樹脂の種類を判別する第二樹脂種判別部と、第一樹脂種判別部で判別された樹脂の種類と第二樹脂種判別部で判別された樹脂の種類とに基づいて樹脂片Ｓｎの組成の均一性を評価する評価部とを有する。
【００３３】
第一試料測定部は、第一反射光強度における時間ごとの光強度変化に基づいて、樹脂片Ｓｎが所定の位置にあるか否かを判定し、各樹脂片Ｓｎと各吸収スペクトル情報との関連付けを行い、各樹脂片Ｓｎの吸収スペクトルを作成する制御を行う。
第一試料測定部の機能について具体的に説明すると、反射光強度が所定の光強度閾値未満であれば、第一樹脂片Ｓ１が所定の位置に配置されていないと判定し、反射光強度が所定の光強度閾値以上になれば、第一樹脂片Ｓ１が所定の位置に配置されたと判定し、反射光強度が所定の光強度閾値未満になれば、第一樹脂片Ｓ１が所定の位置から除外されたと判定し、第一樹脂片Ｓ１が所定の位置に配置されたと判定したときの反射光強度（吸収スペクトル情報）に基づいて第一樹脂片Ｓ１の吸収スペクトルを作成する。
続いて、反射光強度が所定の光強度閾値未満であれば、第二樹脂片Ｓ２が所定の位置に配置されていないと判定し、反射光強度が所定の光強度閾値以上になれば、第二樹脂片Ｓ２が所定の位置に配置されたと判定し、反射光強度が所定の光強度閾値未満になれば、第二樹脂片Ｓ２が所定の位置から除外されたと判定し、第二樹脂片Ｓ２が所定の位置に配置されたと判定したときの反射光強度（吸収スペクトル情報）に基づいて第二樹脂片Ｓ２の吸収スペクトルを作成する。このようにして、各樹脂片Ｓｎの吸収スペクトルを作成する。
【００３４】
第二試料測定部は、上記の第一試料測定部と同様に、第二反射光強度における時間ごとの光強度変化に基づいて、樹脂片Ｓｎが所定の位置にあるか否かを判定し、各樹脂片Ｓｎと各吸収スペクトル情報との関連付けを行い、各樹脂片Ｓｎの吸収スペクトルを作成する制御を行う。
【００３５】
第一樹脂種判別部は、第一試料測定部で作成された樹脂片Ｓｎの吸収スペクトルにおいて、例えばＣＮ官能基に由来するピークの有無を判定することにより、樹脂片ＳｎがＡＢＳ樹脂であるか否かを判定するというように、樹脂片Ｓｎの樹脂種を判定する制御を行う。なお、この判定には、クラマース・クローニッヒ変換することで得られる吸収スペクトルを用い、複数の特定の波数におけるピークの有無を判定して樹脂種を判定することもできる。
【００３６】
第二樹脂種判別部は、第二試料測定部で作成された樹脂片Ｓｎの吸収スペクトルにおいて、上記の第一樹脂種判別部と同様に、樹脂片Ｓｎの樹脂種を判定する制御を行う。
【００３７】
評価部は、第一樹脂種判別部で判別された樹脂の種類と第二樹脂種判別部で判別された樹脂の種類とに基づいて樹脂片Ｓｎの組成の均一性を評価する制御を行う。
評価部の機能について具体的に説明すると、第ｎ樹脂片Ｓｎにおいて、第一樹脂種判別部で判別された樹脂の種類と第二樹脂種判別部で判別された樹脂の種類とが一致したときには、第ｎ樹脂片Ｓｎの組成はその樹脂の種類であると決定する。一方、第一樹脂種判別部で判別された樹脂の種類と第二樹脂種判別部で判別された樹脂の種類とが一致しないときには、第ｎ樹脂片Ｓｎの組成は混合物であると決定し、リサイクル不可品とする。
【００３８】
以上のように、第一実施形態の樹脂種識別装置１によれば、樹脂片Ｓｎの上面と下面の両面を測定しているので、正確に樹脂片Ｓｎを選別することができるとともに、樹脂片Ｓｎの形状や寸法によらず正確な測定を行うことができる。さらに、樹脂片Ｓｎが所定の位置に存在するときと存在しないときでの反射光強度の差異が明示されるので、所定位置への樹脂片Ｓｎの配置を検知するレーザセンサ等を設けることなく、制御部５０は第一樹脂片Ｓ１による反射光強度と第二樹脂片Ｓ２による反射光強度とを識別することができる。
【００３９】
＜第二実施形態＞
図４は、本発明の第二実施形態に係る樹脂種識別装置の構成を示す側面図である。なお、先に述べた樹脂種識別装置１、１００と同様のものについては、同じ符号を付すことにより説明を省略する。
樹脂種識別装置１０１は、赤外光を出射する第一赤外光源部と第一赤外光検出部とを有する第一赤外分光光度計１０４と、赤外光を出射する第二赤外光源部と第二赤外光検出部とを有する第二赤外分光光度計１０５と、制御部５０（図示略）と、樹脂片Ｓｎが配置される試料配置部３０と、第一反射測定用プローブ１０２と、第二反射測定用プローブ１０３とを備える。
【００４０】
第一反射測定用プローブ１０２は、円柱形状の筐体１０２ａと、筐体１０２ａと第一赤外分光光度計１０４とを連結する光ファイバ１０２ｂとを備え、筐体１０２ａの内部にはレンズ等が配置されている。そして、樹脂片Ｓｎが所定の位置に配置されると、第一反射測定用プローブ１０２から出射された光が、上側搬送ベルト３１と上側搬送ベルト３２との間の空隙Ｐ１を通過して樹脂片Ｓｎ上面の第一測定点Ｃ１に照射され、樹脂片Ｓｎ上面の第一測定点Ｃ１で反射した光が、再度上側搬送ベルト３１と上側搬送ベルト３２との間の空隙Ｐ１を通過して、第一反射測定用プローブ１０２へ入射するようになっている。
【００４１】
第二反射測定用プローブ１０３は、円柱形状の筐体１０３ａと、筐体１０３ａと第二赤外分光光度計１０５とを連結する光ファイバ１０３ｂとを備え、筐体１０３ａの内部にはレンズ等が配置されている。そして、樹脂片Ｓｎが所定の位置に配置されると、第二反射測定用プローブ１０３から出射された光が、下側搬送ベルト３３と下側搬送ベルト３４との間の空隙Ｐ２を通過して樹脂片Ｓｎ下面の第二測定点Ｃ２に照射され、樹脂片Ｓｎ下面の第二測定点Ｃ２で反射した光が、再度下側搬送ベルト３３と下側搬送ベルト３４との間の空隙Ｐ２を通過して、第二反射測定用プローブ１０３へ入射するようになっている。
【００４２】
以上のように、第二実施形態の樹脂種識別装置１０１によれば、樹脂片Ｓｎの上面と下面の両面を測定しているので、正確に樹脂片Ｓｎを選別することができるとともに、樹脂片Ｓｎの形状や寸法によらず正確な測定を行うことができる。
【００４３】
＜他の実施形態＞
（１）上述した樹脂種識別装置１において、試料配置部３０は、上下２本ずつの搬送ベルト３１〜３４を備える構成としたが、これに代えて、赤外線を透過する材料で形成された上下１本ずつの搬送ベルトを備える構成としてもよい。すなわち、本発明における試料配置部は、試料の上面と下面とに赤外光を照射し、当該試料の上下両面から反射された赤外光の光強度情報を検出することができるものであればよい。
【００４４】
（２）上述した樹脂種識別装置１において、試料配置部３０はゴムローラ部６０を備える構成としたが、これに代えて、樹脂片Ｓｎを変形可能な温度に加熱する加熱装置を備えた構成としてもよい。
【産業上の利用可能性】
【００４５】
本発明は、樹脂種識別装置等に好適に利用できる。
【符号の説明】
【００４６】
１  樹脂種識別装置
１０  第一赤外光源部
２０  第一赤外光検出部
５０  制御部
１１０  第二赤外光源部
１２０  第二赤外光検出部
【図１】
0006435930.tif 000002
【図２】
0006435930.tif 000003
【図３】
0006435930.tif 000004
【図４】
0006435930.tif 000005
【図５】
0006435930.tif 000006
【図６】
0006435930.tif 000007